(57)【特許請求の範囲】
【請求項１】
接触子収容室を有するコネクタハウジングと、該接触子収容室に収容された複数の接触子と、該コネクタハウジングに装着されるスライダとを備え、該接触子を介して回路体と所定パターンの配線構造を有する配線基板とを電気的に相互接続する基板用コネクタにおいて、
前記複数の接触子は、複数対の信号接触子及び複数のグランド接触子であり、それら複数対の信号接触子及び複数のグランド接触子が、一列に並設した状態で前記コネクタハウジングに収容され、
前記複数対の信号接触子の各対は、互いに逆位相のプラス信号とマイナス信号を同期させた状態で差動信号を伝送する一対の信号接触子であり、それら信号接触子の各々は、一端に前記回路体の導体部と電気的に接触する回路体側電気接触部を有し、他端に該回路体側電気接触部と反対方向に位置して前記配線基板の導体部と接触する基板側電気接触部を有し、
前記複数のグランド接触子の各々は、一端に前記回路体の導体部と電気的に接触する回路体側電気接触部を有し、他端に該回路体側電気接触部と同方向に位置して前記配線基板の導体部と接触する基板側電気接触部を有し、
前記信号接触子の前記基板側電気接触部と前記グランド接触子の前記基板側電気接触部とが相互に反対側に位置し、
前記信号接触子の前記回路体側電気接触部と前記グランド接触子の前記回路体側電気接触部とが、前記回路体の同一表面に対向するように配置され、
前記スライダは、前記回路体と重なった状態で、前記複数対の信号接触子及び前記複数のグランド接触子の各々が有する弾性空間に挿入されて、前記複数対の信号接触子及び前記複数のグランド接触子の各々の弾性復元力により、前記信号接触子の前記回路体側電気接触部及び前記グランド接触子の前記回路体側電気接触部を前記回路体の前記導体部に電気的に接触させること、
を特徴とする基板用コネクタ。
【請求項２】
前記グランド接触子は、各一対の前記信号接触子の外側に配置されたことを特徴とする請求項１に記載の基板用コネクタ。
【請求項３】
絶縁基板の少なくとも一方の板面に信号線及びグランド線が形成されている配線基板と、該配線基板と回路体とを電気的に接続するために用いられる請求項１又は２に記載の基板用コネクタと、を備えた回路体接続構造であって、
前記基板用コネクタに収容された前記信号接触子の基板側電気接触部と電気的に接触する複数対の前記信号線が、前記配線基板の板面に固定された前記基板用コネクタの前側に位置し、前記基板用コネクタに収容された前記グランド接触子の基板側電気接触部と電気的に接続する前記グランド線が前記基板用コネクタの後側に位置し、前記信号線と前記グランド線とが相互に対峙していることを特徴とする回路体接続構造。
【請求項４】
各対の隣接する前記信号線の導体長が互いに等しいことを特徴とする請求項３に記載の回路体接続構造。
【請求項５】
前記回路体は、フレキシブルプリントサーキットであることを特徴とする請求項３又は４に記載の回路体接続構造。
【発明の詳細な説明】
【技術分野】
【０００１】
本発明は、接触子収容室を有するコネクタハウジングと、接触子収容室に収容された複数の接触子とを備え、接触子を介して回路体と配線基板とを電気的に相互接続する基板用コネクタ及びそれを有する回路体接続構造に関する。
【背景技術】
【０００２】
一般に、コネクタハウジングに収容された接触子を介し、回路体と配線基板とを電気的に相互接続する基板用コネクタの一例として、特許文献１に開示されているものが知られている。この基板用コネクタは、接触子収容室を有するコネクタハウジングと、接触子収容室に収容された複数の接触子とを備えている。接触子には、一端に回路体と電気的に接触する回路体側電気接触部が形成され、他端に配線基板と電気的に接触する基板側電気接触部が形成されている。接触子は、基板側電気接触部をコネクタハウジングの片側から露出させた状態で一列に並設されている。配線基板は、基板側電気接触部と対応する位置で、所定のピッチで形成された複数の配線導体を有している。
【０００３】
しかし、この基板用コネクタでは、全ての接触子がその向きを一方向に揃わせた状態、すなわち、接触子の基板側電気接触部をコネクタハウジングの片側から出した状態で設けられているため、配線導体のピッチが狭く形成された、いわゆるファインピッチの配線基板に適用することができないという問題があった。
【０００４】
基板用コネクタの他の一例として、接触子の基板側電気接触部がコネクタハウジングの両側に交互に配設されたものが、特許文献２で開示されている。この基板用コネクタは、上記の基板用コネクタに比べてファインピッチの配線基板に適用可能なものである。しかし、この種の基板用コネクタが適用される図７に示す配線基板５０には、信号伝送の信頼性を妨げる種々の問題があった。
【０００５】
図７に示す配線基板５０は、デジタル信号で画像情報伝送を行うために用いられている配線基板であって、低電圧化・高周波数化されたデジタル信号（差動信号）を、複数対の信号線（差動ペア）５１，５２により互いに逆位相で流し、数百Ｍｂｐｓ以上の高速伝送を行うために用いられる配線基板である。また、配線基板５０には、差動信号の伝送信頼性を高めるために、グランド線５３も形成されている。すなわち、この配線基板５０は、擬似同軸ケーブルに相等する配線パターンとなっている。
【０００６】
しかし、この配線基板５０では、信号線５１，５２とグランド線５３とが整理されておらず、入り混じっているため、基板５０内に余分な空きスペースを生じ、信号線５１，５２のピッチを狭くするには限界があった。また、隣接する信号線５１，５２の間隔が局部的に狭くなって絶縁間距離が得られない箇所も存在し、はんだ付けを難しくしたり、信号線間ではんだによる短絡を生じたりするという心配があった。基板の配線構造が複雑化し、コストがかかるだけでなく、配線基板の設計変更にフレキシブルに対応することができないという問題もあった。
【０００７】
また、一対の信号線５１，５２のうち、一方の信号線５１は配線基板５０の表面に形成され、他方の信号線５２は貫通導体５７を介して配線基板５０の表面と裏面との間で橋渡しされているため、一対の信号線５１，５２の導体長が異なり、一対の信号線５１，５２における差動信号のＳｋｅｗ値が大きくなって、逆位相の差動信号の同期がとれなくなり、信号伝送の信頼性が低下するという問題があった。
【０００８】
この種の配線基板に適用される基板用コネクタの問題としては、図８に示すように、信号接触子５５，５６が２種類、すなわち、回路体側電気接触部５８と基板側電気接触部５９とを同方向に有する接触子５５と、回路体側電気接触部５８と基板側電気接触部５９とを互いに反対方向に有する接触子５６と、が必要とされ、前者の接触子５５では信号がＵターン状に流れることとなり、高周波数領域では信号の反射が生じやすくなって伝送信頼性が低下するという問題もあった。
【０００９】
上述した信号伝送の低下の問題は、伝送信号の周波数が高くなり、高速化が進むほど生じやすくなるため、更なる普及が期待されるデジタル信号受像機としてのデジタル放送用テレビや、携帯電話などにおける画像品質を低下させることが懸念されていた。
【００１０】
【特許文献１】実公平７−１９１０２号公報
【特許文献２】実用新案登録番号第２５９７００４号
【発明の開示】
【発明が解決しようとする課題】
【００１１】
そこで、本発明は、伝送品質の信頼性を向上し、差動信号の高速伝送性を高めることができる基板用コネクタ及びそれを有する回路体接続構造を提供することを目的とする。
【課題を解決するための手段】
【００１２】
上記問題を解決するため、本発明の請求項１の基板用コネクタの発明は、接触子収容室を有するコネクタハウジングと、該接触子収容室に収容された複数の接触子と、該コネクタハウジングに装着されるスライダとを備え、該接触子を介して回路体と所定パターンの配線構造を有する配線基板とを電気的に相互接続する基板用コネクタにおいて、前記複数の接触子は、複数対の信号接触子と複数のグランド接触子であり、それら複数対の信号接触子及び複数のグランド接触子が、一列に並設した状態で前記コネクタハウジングに収容され、前記複数対の信号接触子の各対は、互いに逆位相のプラス信号とマイナス信号を同期させた状態で差動信号を伝送する一対の信号接触子であり、それら信号接触子の各々は、一端に前記回路体の導体部と電気的に接触する回路体側電気接触部を有し、他端に該回路体側電気接触部と反対方向に位置して前記配線基板の導体部と接触する基板側電気接触部を有し、前記複数のグランド接触子の各々は、一端に前記回路体の導体部と電気的に接触する回路体側電気接触部を有し、他端に該回路体側電気接触部と同方向に位置して前記配線基板の導体部と接触する基板側電気接触部を有し、前記信号接触子の前記基板側電気接触部と前記グランド接触子の前記基板側電気接触部とが相互に反対側に位置し、前記信号接触子の前記回路体側電気接触部と前記グランド接触子の前記回路体側電気接触部とが、前記回路体の同一表面に対向するように配置され、前記スライダは、前記回路体と重なった状態で、前記複数対の信号接触子及び前記複数のグランド接触子の各々が有する弾性空間に挿入されて、前記複数対の信号接触子及び前記複数のグランド接触子の各々の弾性復元力により、前記信号接触子の前記回路体側電気接触部及び前記グランド接触子の前記回路体側電気接触部を前記回路体の前記導体部に電気的に接触させることを特徴とする。
【００１３】
請求項２の発明は、請求項１に記載の基板用コネクタにおいて、前記グランド接触子は、各一対の前記信号接触子の外側に配置されたことを特徴とする。
【００１４】
請求項３の回路体接続構造の発明は、絶縁基板の少なくとも一方の板面に信号線及びグランド線が形成されている配線基板と、該配線基板と回路体とを電気的に接続するために用いられる請求項１又は２に記載の基板用コネクタと、を備えた回路体接続構造であって、前記基板用コネクタに収容された前記信号接触子の基板側電気接触部と電気的に接触する複数対の前記信号線が、前記配線基板の板面に固定された前記基板用コネクタの前側に位置し、前記基板用コネクタに収容された前記グランド接触子の基板側電気接触部と電気的に接続する前記グランド線が前記基板用コネクタの後側に位置し、前記信号線と前記グランド線とが相互に対峙していることを特徴とする。
【００１５】
請求項４の発明は、請求項３に記載の回路体接続構造において、各対の隣接する前記信号線の導体長が互いに等しいことを特徴とする。
【００１６】
請求項５の発明は、請求項３又は４に記載の回路体接続構造において、前記回路体は、フレキシブルプリントサーキットであることを特徴とする。
【発明の効果】
【００１７】
本願の請求項１記載の発明によれば、信号接触子の一方の電気接触部と他方の電気接触部とが互いに反対方向に位置しているから、信号接触子内を流れる差動信号はその流れる方向が９０゜以上変化することがなくなり、信号接触子内での差動信号の反射などを低減することができる。一対の信号接触子が略同一形状の接触子であるから、差動ペア間におけるＳｋｅｗ値の低減を図ることができる。したがって、伝送品質の信頼性を向上し、差動信号の高速伝送性を高めることができる。
【００１８】
請求項２記載の発明によれば、グランド接触子が各一対の信号接触子の外側に配置されているから、デジタルインターフェース技術（Transition Minimized Differential Signaling）を利用した高速差動信号伝送用コネクタとして用いることができる。
【００１９】
請求項３記載の発明によれば、配線基板の表面において、信号線とグランド線とが、一方の側と他方の側とに分かれて配置形成され、互いに対峙しているから、配線パターンを容易化・単純化することができる。また、配線基板と基板用コネクタとの相乗効果により、伝送品質の信頼性と差動信号の高速伝送性に優れた回路構造を提供することができる。
【００２０】
請求項４記載の発明によれば、各対の隣接する信号線の導体長が互いに同等であるから、一対の信号線における差動信号のＳｋｅｗ値を小さくすることができる。したがって、差動信号の高速伝送性をより一層高めることができる。
【００２１】
請求項５記載の発明によれば、回路体はフレキシブルプリントサーキットであるから、この回路体接続構造の取扱性が向上すると共に、コネクタの低背化・小型化を図ることができる。
【発明を実施するための最良の形態】
【００２２】
以下に本発明の実施の形態の具体例を図面を用いて詳細に説明する。図１は、本発明に係る基板用コネクタ及びそれを有する回路体接続構造の一実施形態を示す。本実施形態の回路体接続構造１は、高速差動信号を受信する図示しないデジタル信号受像機などに適用されるものであり、絶縁基板３の表裏両面に配線導体５，６，７（図２）が形成されたプリント配線板（配線基板）２と、所定のピッチで並設された複数の回路導体１２が絶縁シート１１（図４）に印刷されたＦＰＣ（Flexible Printed Circuit）１０と、プリント配線板２とＦＰＣ１０とを電気的に接続するために用いられ基板用コネクタ１５とから構成されている。コネクタ１５は、接触子収容室３８を有するコネクタハウジング３０と、接触子収容室３８に収容されてプリント配線板２及びＦＰＣ１０を電気的に接続する複数の接触子１７，１８，２５（図３，４）とから構成されている。
【００２３】
図２に示すように、プリント配線板２は、例えば矩形平板状をなしており、エポキシ樹脂等の有機材料で構成される絶縁基板３に、配線導体としての信号線５，６及びグランド線７が一体的にプリントされたものである。絶縁基板３を構成するエポキシ樹脂としては、紙基材エポキシ樹脂、ガラス布基材エポキシ樹脂やガラス布・紙複合基材エポキシ樹脂等が適用される。所定の配線パターンを構成する配線導体には、厚さ数１０μｍの導電性金属箔、例えば銅箔等が適用される。なお、本実施形態では、配線基板としてのプリント配線板２について説明するが、細幅の配線導体がインサート成形や接着等により、絶縁基板３に形成されたものであってもよい。また、配線導体としては、導電性の樹脂材を適用してもよい。
【００２４】
本実施形態のプリント配線板２は、いわゆる両面プリント配線板であり、表裏両面に配線導体が形成されている。表面には、差動信号を伝送する複数対の信号線５，６と、この信号線５，６に対峙するグランド線７の接触子接点部７ａが形成されている。各対の信号線５，６の長さは等しい長さに形成されている。図示しない裏面には、共通又は複数のグランド線７が形成されている。表面のグランド線７の接触子接点部７ａと裏面のグランド線７とは、表面から裏面に橋渡しされた貫通導体８を介して電気的に接続されている。プリント配線板２には、基板用コネクタ１５の他に、必要に応じて図示しないトランジスタ、コンデンサ、抵抗などの電子デバイスが実装される。プリント配線板２に電子デバイスが実装されたものは、プリント回路板として定義されることができる。
【００２５】
互いに対峙している信号線５，６とグランド線７の接触子接点部７ａとの間の空きスペースには、コネクタ１５が固定されるようになっている。コネクタ（図３等参照）１５は、前側が信号線５，６に向かって配置され、後側がグランド線７に向かって配置され、コネクタ１５の後側にはＦＰＣ１０が接続されるようになっている。信号線５，６の端部は、コネクタ１５の信号接触子１７，１８が接続する接触子接点部となっている。隣接する信号線５，６の線幅やピッチは任意であるが、数ミリアンペアの差動信号（微小電流）が流れた際に、不具合を生じない寸法に形成されている。
【００２６】
このように、本発明に係るプリント配線板２では、配線板２の一方の板面側で信号線５，６とグランド線７とが、一方と他方とに分かれて配置形成され、相互に対峙している状態となっているから、従来例のように信号線５，６とグランド線７とが混在して配線パターンが複雑化することが防止され、配線板２の限られたスペース内において信号線５，６のファインピッチ化を図ることができる。また、各対の隣接する信号線５，６の導体長を互いに等しい長さに形成することができるから、一対の信号線５，６における差動信号のＳｋｅｗ値を小さくすることができる。このＳｋｅｗ値を小さくすることで、隣接する差動ペア間における差動信号の遅延時間差が小さくなり、高速差動信号伝送の信頼性を高めることができる。また、簡易な配線構造であるから、配線板２の設計変更にかなりの自由度をもって対応することができる。また、プリント配線板２の製造が容易となり、コストを低減することもできる。
【００２７】
回路体としてのＦＰＣ１０は、ポリマー製の絶縁シート１１と、絶縁シート１１に所定のピッチで並設された回路導体１２と、透明又は半透明の保護層とから構成される。絶縁シート１１は、エポキシ樹脂などを構成材料とすることができる。回路導体１２は、銅箔などの金属箔が用いられる。本実施形態では、ＦＰＣ１０が用いられているから、回路体接続構造１の取扱性を向上することができる。また、コネクタ１５の低背化や小型化を図ることができる。
【００２８】
図３に示すように、コネクタ１５は、接触子１７，１８，２５と、複数の接触子１７，１８，２５を一列に並設した状態で収容するコネクタハウジング３０と、コネクタハウジング３０の後壁開口３６に装着されるスライダ４０と、コネクタハウジング３０をプリント配線板２に固定する固定部材としてのシュラウド４５とから構成されている。
【００２９】
接触子１７，１８，２５は、信号接触子１７，１８とグランド接触子２５であり、導電性基板をプレスにて打ち抜き、折り曲げ加工することにより形成されている。信号接触子１７，１８は、高速差動信号を伝送する一対のプラス接触子１７とマイナス接触子１８の２種類の接触子であり、複数対設けられている。２種類の信号接触子１７，１８は、全長が異なっていることを除いて略同一の形状をなしており、回路体側電気接触部２０を有する一対の弾性挟持片１９を有している。回路体側電気接触部２０の反対方向には、基板側電気接触部２１が形成されている。グランド接触子２５は、回路体側電気接触部２７を有するＬ字状の弾性片２６を有し、回路体側電気接触部２７と同一方向に基板側電気接触部２８が形成されている。
【００３０】
このように、信号接触子１７，１８とグランド接触子２５とでは、回路体側電気接触部２０，２７と基板側電気接触部２１，２８の位置が異なり、極性の異なる差動信号を伝送する一対の信号接触子１７，１８では、回路体側電気接触部２０と基板側電気接触部２１とが相互に反対方向に設けられているから、上述したプリント配線板２に適用可能な高速差動信号用コネクタ１５を提供することができる。
【００３１】
また、一対のプラス接触子１７とマイナス接触子１８を流れる高速差動信号は、９０゜を超える角度で信号の流れる方向が変化しないため、すなわち従来例のように（図８参照）差動信号がＵターン状に流れないために、差動信号の反射を低減することができる。差動信号の反射は差動信号が高速化・高周波数化するほど大きくなるものであるが、本発明に係る接触子１７，１８によって、高速伝送される信号の品質信頼性を高めることができる。
【００３２】
コネクタハウジング３０の接触子収容室３８に収容された各接触子１７，１８，２５は、図４に示すように、プリント配線板２の信号線５，６及びグランド線７に対応するように配置されている。グランド接触子２５は、一対の信号接触子１７，１８の外側に配置されている。プリント配線板２の信号線５，６及びグランド線７の配線パターン及びコネクタ１５の接触子配列は、デジタルインターフェース技術（Transition Minimized Differential Signaling）を利用可能な構成となっている。
【００３３】
図３に示すように、コネクタハウジング３０は、ポリエチレンやポリプロピレンなどの樹脂材料から矩形枠状に射出成形されたものであり、矩形状の枠壁３１と、枠壁３１の内側の接触子収容室３８とを有している。枠壁３１は、基壁３２と、基壁３２に対向する上壁３３と、左右両側の側壁３４とからなっている。前壁及び後壁は開口形成されており、前壁開口３５からは信号接触子１７，１８の基板側電気接触部２１が露出し、後壁開口３６からは信号接触子２５の回路体側電気接触部２０が臨み、ＦＰＣ１０が挿入されるようになっている。
【００３４】
ここで、コネクタハウジング３０の前後方向及び上下方向の概念を次のように定めることとする。前後方向の前とは、信号接触子１７，１８の基板側電気接触部２１が位置する側をいうものとし、前後方向の後とは、信号接触子１７，１８の回路体側電気接触部２０が位置する側をいうものとする。上下方向の上とは、シュラウド４５が装着される側をいうものとし、上下方向の下とは、コネクタハウジング３０がプリント配線板２と対面する側をいうものとする。
【００３５】
基壁３２と上壁３３の内面には、挿入される接触子１７，１８，２５をガイドするガイド溝３２ａ，３３ａがそれぞれ形成されている。基壁３２と上壁３３との対向間隔は、接触子１７，１８の一対の弾性挟持片１９の間に挿入される回路体の板厚に依存する（図５参照）。本実施形態で用いられているＦＰＣ１０は厚みが薄いため、コネクタハウジング３０の小型化及び低背化に有効である。
【００３６】
左右の側壁３４には、シュラウド４５の左右両端に屈曲形成された係止片４７に係合する係合枠３４ａが形成されている。係止片４７が係合３４ａ枠に係合することで、コネクタハウジング３０とシュラウド４５が一体化されるようになっている。シュラウド４５と一体化されたコネクタハウジング３０は、シュラウド４５の両側に一体形成された一対の固定脚４８をプリント配線板２の所定の位置に形成されたはんだ付け部９（図１参照）にはんだ付けすることにより、プリント配線板２に固定されるようになっている。
【００３７】
スライダ４０は、コネクタハウジング３０の後壁開口３６から挿入されて、ＦＰＣ１０と接触子１７，１８，２５との接触状態を保持するための保持部材であり、樹脂成形された一体部品である。このスライダ４０は、ＦＰＣ１０を挿通させるためのスリット４１ａを有する壁部４１と、この壁部４１と交差して前方に延びる顎部４２と、顎部４２の左右両側で壁部４１の内面から顎部４２と同方向に延びる可撓性の係止腕４３とから構成されている。
【００３８】
壁部４１に形成されたスリット４１ａは、ＦＰＣ１０の挿通を妨害しない程度の大きさに形成されている。ＦＰＣ１０がスリット４１ａに通されることで、ＦＰＣ１０の端部側（コネクタ挿入側）で上下方向及び左右方向の動きが規制されることとなり、不用意な引っ張りなどによってＦＰＣ１０と接触子１７，１８，２５との相対的位置関係がずれることが防止される。
【００３９】
顎部４２は、ＦＰＣ１０と重なった状態で、信号接触子１７，１８の一対の弾性挟持片１９及びグランド接触子２５のＬ字状弾性片２６を外側に弾性変形させつつ弾性空間２３に挿入され、弾性挟持片１９及びＬ字状弾性片２６の弾性復元力によりＦＰＣ１０を接触子１７，１８，２５の電気接触部２０，２７側に押し付け、ＦＰＣ１０の回路導体１２と接触子１７，１８，２５の電気接触部２０，２７とを電気的に接触させる部分である（図５、６参照）。すなわち、ＦＰＣ１０及び顎部４２を受け入れる接触子１７，１８，２５の弾性空間２３の間隔は、顎部４２の厚みとＦＰＣ１０の厚みとを合計した寸法より小さい寸法に形成されていて、顎部４２とＦＰＣ１０とが重なった状態で弾性空間２３に挿入されることで、一対の弾性挟持片１９又はＬ字状弾性片２６は根元側を支点として外側に弾性的に開き、弾性変形量に比例する弾性復元力でＦＰＣ１０の回路導体１２と接触子１７，１８，２５の電気接触部２０，２７とを接触させる。なお、接触子１７，１８，２５の電気接触部２０，２７とＦＰＣ１０の回路導体１２との接圧は、全ての接触子１７，１８，２５において一定であることが好ましく、一対の弾性挟持片１９及びＬ字状弾性片２６の寸法・形状が定められている。
【００４０】
係止腕４３は、スライダ４０をコネクタハウジング３０に係止させるものである。スライダ４０が、コネクタハウジング３０の後壁開口３６に挿入されると、係止腕４３がコネクタハウジング３０の左右両側に形成された係止穴３７に進入し、係止腕４３の先端側に形成された鉤部４３ａが係止穴３７の内面に形成された図示しない係止突起に係合することで、スライダ４０がコネクタハウジング３０に係止されるようになっている。逆に、係止解除する場合は、一対の係止腕４３を内側に撓ませることで、鉤部４３ａと係止突起との係合が解除され、コネクタハウジング３０からスライダ４０を外すことができるようになっている。
【００４１】
以上のように、本実施形態によれば、プリント配線板２の表面側において、信号線５，６とグランド線７とが、一方の側と他方の側とに分かれて配置形成され、互いに対峙しているから、配線パターンを簡易・単純化することができ、限られスペース内における信号線５，６のファインピッチ化を図ることができる。また、各対の隣接する信号線５，６の導体長が互いに同等であるから、一対の信号線５，６における差動信号のＳｋｅｗ値を小さくすることができる。また、一対の信号接触子１７，１８における差動信号の流れがＵターン状に折り返されることがないから、反射を軽減することができる。したがって、差動信号の高速伝送性を高めることができ、これによりデジタル信号受像機の画像品質を向上することができる。
【００４２】
なお、本発明は上記実施形態に制限するものではなく、他の形態で実施することもできる。例えば、本実施形態のコネクタ１５は、信号接触子として全長の異なる２種類の接触子１７，１８が用いられているが、全長の等しい１種類の接触子とすることもできる。また、信号接触子１７，１８及びグランド接触子２５の寸法は任意であり、特定寸法に限定されるものではない。また、コネクタ１５は、固定部材としてのシュラウド４５によってプリント配線板２に固定されているが、シュラウド４５を使用せずにロック機構などを利用してプリント配線板２に固定することもできる。
【００４３】
また、本実施形態では回路体としてＦＰＣ１０が用いられているが、本発明はＦＰＣ１０に制限するものではなく、フラット電線と称されるハーネスや、フレキシブルフラット回路体（ＦＦＣ）などを用いることも可能である。
【図面の簡単な説明】
【００４４】
【図１】本発明に係る回路体接続構造の一実施形態を示す斜視図である。
【図２】図１に示すプリント配線板を示す平面図である。
【図３】図１に示す基板用コネクタの分解斜視図である。
【図４】接触子配列を示す斜視図である。
【図５】図１に示す基板用コネクタに収容された状態にある信号接触子を示し、（ａ）はプラス信号接触子、（ｂ）はマイナス信号接触子の断面図である。
【図６】同じく基板用コネクタに収容された状態にあるグランド接触子を示す断面図である。
【図７】従来のプリント配線板の一例を示す平面図である。
【図８】従来の基板用コネクタの信号接触子を示し、(ａ)はプラス信号接触子、（ｂ）はマイナス信号接触子の断面図である。
【符号の説明】
【００４５】
１    回路体接続構造
２    プリント配線板（配線基板）
５，６    信号線（配線導体）
７    グランド線
１０    ＦＰＣ（回路体）
１５    基板用コネクタ
１７，１８    信号接触子
２０，２７    回路体側電気接触部
２１，２８    基板側電気接触部
２５    グランド接触子
３０    コネクタハウジング
３８    接触子収容室
４０    スライダ
４５    シュラウド
【図１】
0004740760.tif 000002
【図２】
0004740760.tif 000003
【図３】
0004740760.tif 000004
【図４】
0004740760.tif 000005
【図５】
0004740760.tif 000006
【図６】
0004740760.tif 000007
【図７】
0004740760.tif 000008
【図８】
0004740760.tif 000009